(57)【要約】      （修正有）【課題】木材の使用量を低減でき組み立ての時間と労力も軽減できて、コストダウンを図ることもでき、梱包用の木材の再使用が可能であるだけでなく、梱包材そのものの運搬が容易で、保管スペースも僅かで足りる機器の木枠梱包を実現するための梱包材の保持治具を得る。【解決手段】梱包材の縦桟と横桟とがＴ字状に交差する部位に、線材により平面四角形または平面楕円形状をなし、縦桟の端部が挿入される縦桟挿入部５ａと、前記挿入部５ａに連成されて、コの字形に横桟に巻回する横桟掛止部５ｂとを形成させた梱包材の保持治具５において、前記コの字形をなす横桟掛止部５ｂの最終辺の線材は、ハの字または逆Ｖ字状に二本の線材にて形成させ、さらに横桟掛止部５ａと連成される線材の先端は、押え部５ｃを形成して縦桟の端部に引っ掛かるようにした。【選択図】図１
2007320647.tif 000002
【特許請求の範囲】
【請求項１】
梱包材の縦桟と横桟とがＴ字状に交差する部位に、線材により縦桟の端部が挿入される縦桟挿入部と、前記挿入部に連成されて、コの字形に横桟に巻回する横桟掛止部とを形成させた梱包材の保持治具において、前記コの字形をなす横桟掛止部の最終辺の線材は、ハの字または逆Ｖ字状に二本の線材にて形成させ、さらに横桟掛止部と連成される線材の先端は、押え部を形成して縦桟の端部に引っ掛かることを特徴とする梱包材の保持治具。
【発明の詳細な説明】
【技術分野】
【０００１】
本発明は、冷凍冷蔵ショーケースなどの機器を梱包し運搬する際に使用する梱包材の保持治具に関するものである。
【背景技術】
【０００２】
冷凍冷蔵ショーケースなどの機器を工場から出荷する際、出荷現場にて木材の梱包枠を機器の外形にそって製作・加工し、機器と梱包枠との隙間に緩衝材を適宜挿入している。
【０００３】
この梱包枠としては、例えば四角形状の底枠と上枠との四隅及び前後左右をそれぞれ縦桟で締結し、縦桟相互をさらに横桟で複数段締結する。そして、これら締結箇所は釘などを使用して結合している。また、縦桟や横桟と機器との隙間に発泡スチロールなどの樹脂を使用する緩衝材を挿入する。
【０００４】
このため、縦桟や横桟の数が多くなるだけでなく、釘による縦桟と横桟との締結箇所が多く、また、緩衝材の挿入箇所も多くなり、枠材に使用する木材の使用量が多くなるだけでなく、梱包枠の完成までには多くの組立工程を要して、組立作業に時間を要するだけでなく熟練度も要求される。
【０００５】
また、釘などを使用し結合された木材は、使い捨てで使用後は廃棄処分されてしまうので、森林資源の保護、地球温暖化などの観点から問題がある。
【０００６】
そこで、使い捨てタイプの梱包枠に替えて、繰り返し使用可能な梱包枠が従来、提案されており、例えば、複数の縦枠材とこれらの間を連結する複数の横枠材とによりそれぞれ構成される正面枠と背面枠と一対の側面枠を、前記背面枠と前記側面枠とに少なくとも組み合わされる底枠とを備える繰返し使用可能な梱包枠において、前記正面枠は、前記複数の横枠材の途中で二つの部分に分割可能な構造を有し、前記二つの部分はそれぞれ前記一対の側面枠の一端に取り付けられており、前記側面枠はその途中で折れ曲がる構造になっており、前記側面枠の前記一端側が前記折れ曲がる構造によって外方向に開く時に、前記正面枠の前記二つの部分も前記側面枠と一緒に外方向に移動することによって、前記正面枠間の開口が広がることを特徴とするものである（例えば特許文献１参照）。
【特許文献１】特許第３５２３５３２号
【発明の開示】
【発明が解決しようとする課題】
【０００７】
前記特許第３５２３５３２号の発明は、梱包用木材を繰返し使用可能な梱包方法であり、縦桟と横桟の結合に釘を使用せず、ピン結合などの折れ曲がり手段により折り曲げ可能としているが、構造が複雑で組み立てにはなお時間と労力を要し、再使用のために折り曲げることはできてもそれ以上に分解することはできず、梱包材そのものの運搬や保管には手間やスペースを必要とするものである。
【０００８】
本発明は前記従来例の不都合を解消するものとして、木材の使用量を低減でき組み立ての時間と労力も軽減できて、コストダウンを図ることもでき、梱包用の木材の再使用が可能であるだけでなく、梱包材そのものの運搬が容易で、保管スペースも僅かで足りる梱包方法を得るため、組立・解体を容易にした梱包材の保持治具である。
【課題を解決するための手段】
【０００９】
本発明は前記目的を達成するものとして、考案されたもので、梱包材の縦桟と横桟とがＴ字状に交差する部位に、線材により縦桟の端部が挿入される縦桟挿入部と、前記挿入部に連成されて、コの字形に横桟に巻回する横桟掛止部とを形成させた梱包材の保持治具において、前記コの字形をなす横桟掛止部の最終辺の線材は、ハの字または逆Ｖ字状に二本の線材にて形成させ、さらに横桟掛止部と連成される線材の先端は、押え部を形成して縦桟の端部に引っ掛かることを特徴とする梱包材の保持治具。
【発明の効果】
【００１０】
以上述べたように本発明の梱包材の保持治具は、枠梱包の縦桟と横桟とがＴ字状に交差する部位を釘などを使用せずに保持できる一方、保持治具を容易に取り外せるから構造部材を細かく分解できるので、木材の再使用が可能であり、木材の使用量を削減できる。また、組み立てや解体の時間と労力も軽減できて、コストダウンを図れ、梱包材そのものの運搬と保管が容易なものとなる。
【発明を実施するための最良の形態】
【００１１】
以下、図面について本発明の実施形態を詳細に説明する。図１は本発明の機器の木枠梱包構造の実施形態を示す全体斜視図、図２は同上要部の斜視図で、本発明の機器の木枠梱包構造は、井桁状の底枠１と、四角形状の上枠２と、前記底枠１に着脱自在に取り付けられる２本の横桟３と、この横桟３と上枠２とを連結する２本の縦桟４と、横桟３と上枠２とを締結する係脱自在な保持冶具５とで構成し、前記底枠１、上枠２、横桟３、縦桟４は全て木材を使用する。
【００１２】
底枠１は、図３にも示すように２本の桁材１ａの上に２本の連結材１ｂを架設し井桁状に組んだもので、２本の桁材１ａの間隔、２本の連結材１ｂの間隔は、それぞれ梱包される機器のサイズに対応して決定する。
【００１３】
上枠２は、図６にも示すように梱包される機器のサイズに対応させて４本の枠材を四角形状に組み合わせる。
【００１４】
横桟３は、連結材１ｂと平行に、桁材１ａの上に端部位置で固定されるもので、図２に示すように桁材１ａよりも端部が突出する程度の長さのものとする。横桟３の桁材１ａへの固定手段は、図２に示すように締結バンド６を使用するもので、桁材１ａに締結バンド６が挿入される孔を形成しておき、この孔に締結バンド６を挿入し、さらに横桟３を巻回させることで桁材１ａに横桟３を固定する。
【００１５】
縦桟４は図５にも示すように梱包される機器の高さに対応させて長さを決定したもので、図１に示すように横桟３の中央位置、すなわち、梱包枠の前後位置の中央に１本ずつ配置される。
【００１６】
縦桟４を横桟３および上枠２の前後に固定する手段は、図７に示す保持冶具５を使用する。この保持冶具５は、例えば直径１．５ｍｍ程度の針金などの線材を折り曲げ加工したもので、長さ方向の中央に、縦桟４の端部が挿入する平面四角形や楕円形状の挿入部５ａを形成している。
【００１７】
また、挿入部５ａに連成させて前記上枠２および横桟３の上下面と内面とに巻回する側面がコ字形の掛止部５ｂを形成しており、この掛止部５ｂは、一本線または二本線にて巻回される部分と、コの字形の最終辺に位置し、ハの字または逆Ｖの字状をなす二本線部分とで形成されている。
【００１８】
そして、掛止部５ｂの先端に縦桟４の表面端部に係止するフック状の押え部５ｃを形成し、さらにこの押え部５ｃは、Ｌ字やＵ字やＶ字形状として形成させている。
【００１９】
この保持冶具５で縦桟４の上下端部を上枠２および横桟３にそれぞれ固定するには、図８、図９に示すように掛止部５ｂを上枠２と横桟３にそれぞれ取り付ける。この状態で、挿入部５ａと押え部５ｃが上桟２と横桟３から外方に突出する。
【００２０】
よって、この突出した挿入部５ａ内に縦桟４の端部を差し込めば、押え部５ｃが縦桟４の少なくとも二つの異なる面に接触し、さらに掛止先端５ｄが縦桟４の端部面上に引っ掛かる。この状態で、縦桟４は押え部５ｃによって裏面側が上桟２と横桟３に押し付けられ、固定される。
【００２１】
また、断面がコの字形の掛止部５ｂの最終辺は、ハの字または逆Ｖの字状をなす二本線としているため、横桟３と縦桟４の断面の厚さや形状が異なった場合でも、横桟３と縦桟４を安定して保持できるようにしたもので、よって縦桟３、横桟４の断面形状は必ずしも均一にしなくても良く、特に縦桟４は、挿入部５ａの形状に対して小さい断面形状のものであれば良い。
【００２２】
前記の方法により、底枠１と上枠２との間に縦桟４が着脱自在に取り付けられる。そして、縦桟４は、梱包材の前後に１本ずつ配置されるだけであり、横桟３も底枠１に取り付けられるだけであるから、木材使用量は少なくてすみ、組立工程も少なく、組み立てに要する時間も従来に比較して短縮できる。
【００２３】
前記のようにして機器を工場で梱包して出荷し、店舗に設置した後は、梱包材は、分解して梱包材納入業者などに引き渡され、再度出荷工場に搬入される。図１０は冷凍冷蔵ショーケースなどの機器を梱包した状態を示し、ショーケースの扉と縦桟４との間の隙間には緩衝材７を適宜挿着する。
【００２４】
梱包材の分解は組み立てと逆の作業で行えばよく、保持冶具５を外し、縦桟４を上枠２と横桟３から取り外し、締結バンド６を解いて横桟３を底枠１から外す。これにより、井桁状の底枠１と四角形状の上枠２と、４本の桟材とに分解され、簡単に搬送でき、保管でき、再使用に備えることができる。
【図面の簡単な説明】
【００２５】
【図１】本発明の梱包材の保持治具の実施形態を示す機器の梱包枠を示す斜視図である。
【図２】本発明の梱包材の保持治具の実施形態を示す機器の梱包枠の一部斜視図である。
【図３】本発明の梱包材の保持治具が実施される梱包枠の底枠の斜視図である。
【図４】本発明の梱包材の保持治具が実施される梱包枠の横桟の斜視図である。
【図５】本発明の梱包材の保持治具が実施される梱包枠の縦桟の斜視図である。
【図６】本発明の梱包材の保持治具が実施される梱包枠の上枠の斜視図である。
【図７】本発明の梱包材の保持治具の実施形態を示す斜視図である。
【図８】本発明の梱包材の保持治具を横桟に取り付けた状態の斜視図である。
【図９】本発明の梱包材の保持治具を上枠に取り付けた状態の斜視図である。
【図１０】本発明の梱包材の保持治具の実施形態を示す機器を梱包した状態の斜視図である。
【符号の説明】
【００２６】
１  底枠                        １ａ  桁材
１ｂ  連結材                    ２  上枠
３  横桟                        ４  縦桟
５  保持冶具                    ５ａ  挿入部
５ｂ  掛止部                    ５ｃ  押え部
５ｄ  掛止先端                  ６  締結バンド
７  緩衝材
【図１】
2007320647.tif 000003
【図２】
2007320647.tif 000004
【図３】
2007320647.tif 000005
【図４】
2007320647.tif 000006
【図５】
2007320647.tif 000007
【図６】
2007320647.tif 000008
【図７】
2007320647.tif 000009
【図８】
2007320647.tif 000010
【図９】
2007320647.tif 000011
【図１０】
2007320647.tif 000012